(57)【特許請求の範囲】
【請求項１】
昇降路に設けられた構造体と、前記構造体に取付けられたプーリと、前記プーリに巻きかけられたロープと、前記ロープを駆動するための巻上機と、を備えたエレベーター装置において、
前記プーリを挟持するように保持し、端部に脚部材を有する一対の保持部材と、
前記構造体の端部に設けられ、前記一対の保持部材の前記脚部材が篏合される一対の溝を有する取付部材と、を有し、
前記取付部材は、複数の板部材が積層されたものからなり、それぞれの前記板部材には、長手方向に並んだ一対の切り欠きが設けられ、前記複数の板部材のそれぞれの前記切り欠きが、前記板部材の積層方向に連続するように前記板部材が配置されることで前記一対の溝を構成していることを特徴とするエレベーター装置。
【請求項２】
前記切り欠きが逆Ｔ字形状を有することを特徴とする請求項１記載のエレベーター装置。
【請求項３】
前記切り欠きがＬ字形状を有することを特徴とする請求項１記載のエレベーター装置。
【請求項４】
前記保持部材の側面から見たときに、前記保持部材が逆Ｔ字形状を形成していることを特徴とする請求項１または２に記載のエレベーター装置。
【請求項５】
前記保持部材の側面から見たときに、前記保持部材がＬ字形状を形成していることを特徴とする請求項１乃至３のいずれか１項に記載のエレベーター装置。
【請求項６】
前記切り欠きが逆Ｔ字形状を有し、
前記保持部材の側面から見たときに、前記保持部材が逆Ｔ字形状を形成しており、
前記保持部材で形成される逆Ｔ字形状が、前記切り欠きの逆Ｔ字形状よりも小さいことを特徴とする請求項１記載のエレベーター装置。
【請求項７】
前記切り欠きがＬ字形状を有し、
前記保持部材の側面から見たときに、前記保持部材がＬ字形状を形成しており、
前記保持部材で形成されるＬ字形状が、前記切り欠きのＬ字形状よりも小さいことを特徴とする請求項１記載のエレベーター装置。
【発明の詳細な説明】
【技術分野】
【０００１】
本発明は、エレベーター装置に関する。
【背景技術】
【０００２】
一般に、エレベーター装置はトラクション方式と呼ばれるものが多く普及している。このトラクション方式は、乗りかごと釣合いおもりがトラクションロープによって懸架されており、巻上機でトラクションロープを巻き上げることにより乗りかごと釣合いおもりが上下逆方向に昇降するものである。また、最近のエレベーター装置は機械室レス式のエレベーター装置が主流となりつつあり、巻上機、釣合いおもり及び制御盤等を昇降路内に配置することが大きな特徴となっている。【０００３】
上述したように、機械室レス式のエレベーター装置においては、昇降路内に巻上機、釣合いおもり及び乗りかご等を収容するため、昇降路の上部、乗りかごの下部及び釣合いおもりの上部等の多くの箇所にトラクションロープを通過させて案内するプーリを設けている。そして、狭い昇降路内に乗りかご、巻上機及び釣合いおもり等を配置するため、昇降路内のトラクションロープは走行方向やその角度を適切に設定されることが必要であり、上述した各種プーリによって走行方向やその角度を調整している。【０００４】
このため、トラクションロープが巻回されるプーリを昇降路内の構造体（例えば、乗りかごや釣合いおもり）に対して角度をつけ斜めに取り付けることがある。このような設置条件の場合、従来、プーリを支持する保持部材を構造体に対して、複数のボルトにより固定して、必要強度を確保することが一般的である。【０００５】
構造体に対して角度を付けてプーリを取り付ける技術として、以下の特許文献１がある。特許文献１には、昇降路内を昇降される昇降体の上部に儲けられた上梁に、複数の締結具により固定される取付板、上記取付板に設けられている軸支持部材、上記軸支持部材に支持されている吊り車軸、及び上記吊り車軸を中心として回転可能な吊り車を備え、上記取付板には、上記締結具が通される複数の挿通孔が設けられており、上記取付板を前記上梁に固定するために用いる上記挿通孔を選択することにより、真上から見た上記吊り車軸の前記上梁に対する傾斜角度が変更可能となっているエレベーターの吊り車装置が開示されている。
【先行技術文献】
【特許文献】
【０００６】
【特許文献１】特開２０１５‐０１３６９９号公報
【発明の概要】
【発明が解決しようとする課題】
【０００７】
しかしながら、前述した特許文献１のような構成では、取付板を介して構造体へプーリを締結する締結具（ボルト及びナット等）に、合成荷重の成分の１つである引っ張り荷重（ボルトを引き抜く方向の荷重）がかかる。この引っ張り荷重に対しては、構造体と取付板との間の摩擦力が締結力に寄与しないため、ボルトの締結力のみで受けることになり、強度確保の観点で課題がある。【０００８】
本発明の目的は、上記事情に鑑み、ボルト締結以外の構成で引っ張り荷重を受けることができるようにしたエレベーター装置を提供することにある。
【課題を解決するための手段】
【０００９】
本発明に係るエレベーター装置は、上記目的を達成するため、プーリを挟持するように保持し、端部に脚部材を有する一対の保持部材と、構造体の端部に設けられ、一対の保持部材の脚部材が篏合される一対の溝を有する取付部材とを有する。取付部材は、複数の板部材が積層されたものからなり、それぞれの板部材には、長手方向に並んだ一対の切り欠きが設けられている。複数の板部材のそれぞれの切り欠きが、板部材の積層方向に連続するように板部材が配置されることで一対の溝を構成している。板部材の切り欠きの位置を変えることで、プーリを構造体に取付ける角度を調整することができる。【００１０】
本発明のより具体的な構成は、特許請求の範囲に記載される。
【発明の効果】
【００１１】
本発明によれば、ボルト締結以外の構成で引っ張り荷重を受けることができるエレベーター装置を提供することができる。【００１２】
なお、上述した以外の課題、構成及び効果は、以下の実施形態の説明により明らかにされる。
【図面の簡単な説明】
【００１３】
【図１】本発明に係るエレベーター装置の一例を示す模式図である。
【図２】図１のＸ部分の拡大図である。
【図３】図２の上面図である。
【図４】図２のプーリと保持部材を拡大する模式図である。
【図５】図２の板部材を拡大する模式図である。
【図６】プーリと保持部材の別の形態を示す模式図である。
【図７】板部材の別の形態を示す模式図である。
【発明を実施するための形態】
【００１４】
以下、本発明に係るエレベーター装置を実施するための形態について、図面を参照して詳細に説明する。なお、各図において同一又は類似の構成には同じ符号を付して繰り返しの説明は省略する。
【００１５】
図１は本発明に係るエレベーター装置の一例を示す模式図である。図１に示すように、本発明に係るエレベーター装置１０は、昇降路１７に設けられた構造体（図１では、乗りかご１１及び釣合いおもり２０）と、構造体に取付けられたプーリ１，１４，１５と、プーリ１，１４，１５に巻きかけられたロープ１６と、ロープ１６を駆動するための巻上機１２を有する。図１に示すエレベーター装置１０は、トラクション方式のものであり、巻上機１２が、綱車１３に巻きかけられたロープ１６（トラクションロープ）を摩擦駆動し、乗りかご１１及び釣合いおもり２０を上下に昇降させる構成を有する。
【００１６】
本発明において「構造体」とは、昇降路１７内に設けられ、プーリが取り付けられるものを言う。図１では、「構造体」として乗りかご１１及び釣合いおもり２０を挙げているが、この他、昇降路１７の頂部にもプーリが設けられることがあるので、構造体は昇降路１７の天井等も含むものである。上述したように、本発明において「構造体」は、乗りかご１１及び釣合いおもり２０に限られるものではなく、プーリ１が取り付けられるあらゆるものを含む。
【００１７】
以下、構造体とプーリの取付構造について、図１のプーリ１及び釣合いおもり２０を例に説明する。図２は図１のＸ部分の拡大図である。図２に示すように、プーリ１は、プーリ１を挟持するように設けられた一対の保持部材７（７ａ，７ｂ）を有する。保持部材７は、プーリ１の軸心９に固定されることで、プーリ１の回転を妨げることなく、プーリ１を保持している。なお、プーリ１には図１に示したロープ１６が巻きかけられるが、図２ではロープ１６の図示を省略している。
【００１８】
釣合いおもり２０は、釣合いおもり枠２（２ａ，２ｂ）を有しており、端部に取付部材８を有する。取付部材８は、複数の板部材４が積層されたものであり、溝５（５ａ，５ｂ）を有する。板部材４の釣合いおもり枠２（２ａ，２ｂ）への固定方法は、後述する。保持部材７の端部が溝５に篏合されることで、プーリ１が構造体（釣合いおもり２０）に取付けられる。図１では、溝５ａに保持部材７ａの端部が篏合され、溝５ｂに保持部材７ｂの端部が篏合されている。
【００１９】
図３は図２の上面図である。図２及び図３に示すように、取付部材８は、複数の板部材４が積層されて構成されたものである。複数の板部材４は、それぞれ長手方向に並んだ一対の切り欠き３ａ，３ｂを有し、この切り欠き３ａ，３ｂが、板部材４の積層方向に連続するように板部材４が配置されることで、上述した一対の溝５ａ，５ｂを構成している。このような構成によれば、締結部材を使用することなくプーリを構造体に取付けることが可能である。さらに、切り欠き３ａ，３ｂの位置を、隣接する板部材４間で少しずつずらすことで（ずれ寸法を調整することで）、エレベーターの仕様に応じてプーリ１を構造体に取付ける角度を自在に調整することが可能となる。
【００２０】
機械室レス式のエレベーター装置においては、狭隘な昇降路内１７に釣合いおもり２０等を配置することから、昇降路内１７に設けられる各構造体や、引き回されたロープがお互いに干渉しないように、ロープ１６が巻き掛けられるプーリ１は、所定の角度をつけて構造体に取り付けられることが求められる。本発明は上述した構成によって、ロープ１６の角度を適切に調整することが可能となる。
【００２１】
図２に示すように、釣合いおもり枠２（２ａ，２ｂ）の端部には、ボルト貫通孔１８が設けられており、板部材４のボルト貫通孔１８に対応する箇所にもボルト貫通孔（図示せず）が設けられている。釣合いおもり枠２（２ａ，２ｂ）及び板部材４のボルト貫通孔にボルトを通して締結することで、釣合いおもり枠２（２ａ，２ｂ）に板部材４を固定することができる。
【００２２】
図４は図２のプーリと保持部材を拡大する模式図であり、図５は図２の板部材を拡大する模式図である。図４に示すように、保持部材７の端部（溝５に篏合される側の端部）には、脚部材６（６ａ，６ｂ）が設けられている。図４に示す態様では、保持部材７の側面（プーリ１のロープが巻きかけられる面）から見たときに、保持部材７ａ（７ｂ）が逆Ｔ字形状を形成している。図５に示すように、板部材４には、長手方向の並んだ一対の切り欠き３（３ａ，３ｂ）が設けられている。図５に示す態様では、切り欠き３（３ａ，３ｂ）は逆Ｔ字形状を有している。保持部材７のＴ字形状の寸法を、切り欠き３の逆Ｔ字形状よりも小さくすることで、保持部材７に板部材４の長手方向に対して余裕を持たせつつ（左右に移動する空間を確保しつつ）、保持部材７と板部材４（取付部材８）とを篏合することができる。
【００２３】
次に、プーリ１の釣合いおもり２０への取付手順について説明する。釣合いおもり枠２ａ，２ｂは、断面がコ字形状を有している。この釣合いおもり枠２ａ，２ｂに挟持されるように、釣合いおもり枠２ａ，２ｂの上端に、板部材４を積層して配置する。このように複数の板部材４を積層させることにより、板部材４のそれぞれに形成される切り欠き３ａ，３ｂが積層方向に連続配置され、溝５（５ａ，５ｂ）を形成する。次いで、プーリ１を保持する保持部材７を、釣合いおもり２０に対して斜め方向にスライドさせつつ、溝５に篏合する。すなわち、脚部材６ａを溝５ａに、脚部材６ｂを溝５ｂに嵌合させ、プーリ１を釣合いおもり２０に取り付ける。
【００２４】
実際にロープ１６によりプーリ１を介して釣合いおもり２０を吊持し、エレベーター装置を稼動すると、多方向からの合成荷重がかかるが、垂直方向の荷重（引っ張り荷重）は、逆Ｔ字状の保持部材７が有する脚部材６の水平面が、逆Ｔ字状の溝５の水平面に当接することで受ける。また、水平方向の荷重は、逆Ｔ字状の保持部材７が有する脚部材６の垂直面が、逆Ｔ字状の溝５の垂直面に当接することで受ける。したがって、上記のような保持部材７及び取付部材８の構造は、比較的単純で加工性に優れていながら、両者を強固に取付ける堅牢な構造を実現することができる。構造体にプーリを締結具によって取り付ける場合、締結具に比較的大きな多方向からの合成荷重がかかるため、必要強度を確保するためにはボルト締結箇所を増やす必要がある。このため、ボルト締結のための部品員数が多くなることや、取り付け具に多くの曲げ加工を要し、構造が複雑となるという課題があった。本願発明は、上述したようにボルト締結によることなく構造体にプーリを取付けるため、ボルト締結のための部品員数が増加してしまうという課題がそもそも生じないものである。
【００２５】
図６はプーリと保持部材の別の形態を示す模式図であり、図７は板部材の別の形態を示す模式図である。図６に示す態様では、保持部材の側面から見たときに、保持部材７ａ（７ｂ）がＬ字形状を形成している。また、図７に示す態様では、切り欠き３´（３ａ´，３ｂ´）がＬ字形状を有している。保持部材７の脚部材６と切り欠き３´がこのような形状を有していても、本発明の効果を得ることができる。このとき、保持部材７のＬ字形状の寸法を、切り欠き３のＬ字形状よりも小さくすることで、保持部材７に板部材４の長手方向に対して余裕を持たせつつ（左右に移動する空間を確保しつつ）、保持部材７と板部材４（取付部材８）とを篏合することができる。
【００２６】
上述した構成の他、切り欠きが逆Ｔ字形状で、保持部材がＬ字形状を形成するものであってもよい。
【００２７】
以上、説明したように、本発明によれば、ボルト締結以外の構成で引っ張り荷重を受けることができるエレベーター装置を提供することができることが示された。
【００２８】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、ある実施例の構成に他の実施例の構成を加えることも可能である。また、各実施例の構成の一部について、他の構成の追加・削除・置換をすることが可能である。
【００２９】
例えば、すでに述べたように、上述した実施形態では、プーリ１が取り付けられる構造体を釣合いおもり２０とした例を示したが、本発明はこれに限らず、乗りかごや昇降路といった他の構造体にプーリを斜めに取り付ける場合にも適用することができる。
【符号の説明】
【００３０】
１…プーリ、２，２ａ，２ｂ…釣合いおもり枠、２０…釣合いおもり、３，３ａ，３ｂ…切り欠き、４…板部材、５，５ａ，５ｂ…溝、６，６ａ，６ｂ…脚部材、７，７ａ，７ｂ…保持部材、８…取付部材、９…プーリの軸心、１０…エレベーター装置、１１…乗りかご、１２…巻上機、１３…綱車、１４，１５…プーリ、１６…主ロープ、１７…昇降路、１８…ボルト貫通孔。
【図１】
0006738911.tif 000002
【図２】
0006738911.tif 000003
【図３】
0006738911.tif 000004
【図４】
0006738911.tif 000005
【図５】
0006738911.tif 000006
【図６】
0006738911.tif 000007
【図７】
0006738911.tif 000008